(57)【要約】【課題】人感センサで人を検知し、照明と換気ファンとを一つの器体に備える構成であって壁面に器体を取り付けることができる換気装置を提供することを目的とする。【解決手段】人感ユニット１３に実装された人感センサ１７により人の存否を検出し、光センサ２０によって照度を検知し、トイレ１室への人の入退室とトイレ１内の照度に度に応じて電球７の点灯・消灯を制御するとともに、排気ファンの運転・停止を制御する。換気装置３はトイレ１室の壁面に取り付けられる。【選択図】図３
2007240124.tif 000002
【特許請求の範囲】
【請求項１】
便器を備えたトイレ室内の汚れた空気を排気するファンとトイレ室内の照明を行う照明手段とトイレ室内の人を検知し信号を出力する人感検知部を備え、前記人感検知部は前記便器に座っている人を検知できるようにしたことを特徴とした換気装置。
【請求項２】
便器を備えたトイレ室内の汚れた空気を排気するファンとトイレ室内の照明を行う照明手段とトイレ室内の人を検知し信号を出力する人感検知部を備え、前記人感検知部は前記便座位置を検知できるようにしたことを特徴とした換気装置。
【請求項３】
前面部を備え、人感検知部を前記前面部に備えることを特徴とした請求項１または２記載の換気装置。
【請求項４】
人感検知部を下方に向けて傾斜させて備えることを特徴とした請求項１乃至４のいずれかに記載の換気装置。
【請求項５】
人感検知部にスイングできるスイング機構を設けたことを特徴とする請求項１乃至５のいずれかに記載の換気装置。
【請求項６】
人感検知部が非検知状態になってから一定時間経過後に非検知状態になったことを知らせる機能を設けたことを特徴とする請求項１乃至５のいずれかに記載の換気装置。
【請求項７】
トイレ室内の照度を検知し信号を出力する照度検知手段を設け、前記照度検知手段の出力信号を判定する判定部を備え、前記判定部の結果に応じて前記照明手段の点灯・消灯を制御することを特徴とした請求項１乃至６のいずれかに記載の換気装置。
【請求項８】
照度検知手段を人感検知部に備えたことを特徴した請求項１乃至７のいずれかに記載の換気装置。
【請求項９】
照明手段の下に白色ＬＥＤを備え、照度検知の値により白色ＬＥＤを点灯させることを特徴とした請求項１乃至８のいずれかに記載の換気装置。
【請求項１０】
トイレ室内に設置された暖房便座の便座のフタを開閉するパターンと人の入退室のパターンを人感検知部が検知し、人と暖房便座の違いを判定する判定部を設け、その判定部の結果に応じて換気装置に備えているファンと照明の動作を制御する制御手段を換気装置内に備え、暖房便座の便座の開閉と人の入室を見分けることを特徴とした請求項１乃至９のいずれかに記載の換気装置。
【請求項１１】
暖房便座の便座のフタを開閉するのと人の入室を見分けるようにしたことを特徴とした請求項１乃至１０のいずれかに記載の換気装置。
【請求項１２】
トイレ室内に設置された暖房便座の便座のフタを開閉するパターンと人の入退室のパターンを人感検知部が検知し、人と暖房便座の違いを判定する判定部を設け、その判定部の結果に応じて換気装置に備えているファンと照明の動作を制御する制御手段を備えたことを特徴とした請求項１１記載の換気装置。
【請求項１３】
赤外線信号を受信する受信部を備え、便座には、便座の開閉状態を送信（発信）する便座開閉送信部を設け、人が便座の使用後トイレ内から退出し、便座が閉じると便座が閉じたことを換気装置に送信することを特徴とした請求項１乃至１２のいずれかに記載の換気装置。
【請求項１４】
換気装置と暖房便座に赤外線信号を受信する受信部を備え、前記換気装置には人感検知部を備え、前記人感検知部には人を検知したことを送信する送信部を備え、前記人感検知部を着脱自在に外せることを特徴とした請求項１乃至１３のいずれかに記載の換気装置。
【請求項１５】
季節を切り換える季節切り換え手段を（換気装置に）備え、前記季節を切り換える切り替え手段を切り換えることによって、ファンの運転を制御することを特徴とした請求項１乃至１４のいずれかに記載の換気装置。
【請求項１６】
季節切り換え手段の代わりに、温度を判定する温度判定手段を設けた請求項１５記載の換気装置。
【請求項１７】
カメラを備え、人を検知し信号を出力する人感検知部が人を検知したと同時にカメラが撮影し撮影した情報を制御部が画像所処理し画像処理結果に基づいて（前記）換気装置を制御することを特徴とした請求項１乃至１６のいずれかに記載の換気装置。
【請求項１８】
人のトイレの在室時間に応じて、換気装置に備えたファンの運転を制御することを特徴とした請求項１乃至１７のいずれかに記載の換気装置。
【発明の詳細な説明】
【技術分野】
【０００１】
本発明は、人体から放射される熱線を検知することによってトイレ室内における人の入室と退室とを検出し、トイレ室内に配置した照明負荷と換気扇とを制御するトイレ用換気装置に関するものである。
【背景技術】
【０００２】
従来、この種のトイレ用熱線式自動スイッチには、トイレ室内の壁面に取り付けることができる器体に人感およびスイッチ要素を設けた構造となっていた（例えば、特許文献１参照）。
【０００３】
以下、そのトイレ用熱線式自動スイッチについて図１５を参照しながら説明する。
【０００４】
人体から放射される熱線を検知することにより人の存否を検出する人感１０１と、前記人感１０１の出力によりトイレ室内への人の入室および退室を検出するとともに人の入退室に応じて照明負荷１０２を制御する照明制御信号および換気扇１０３を制御する換気扇制御信号を出力する制御手段１０４と、照明制御信号と換気扇制御信号とによりそれぞれ開閉制御される第１スイッチおよび第２スイッチを備え、トイレ室の壁面に取り付けられる器体内に備えることを特徴とするトイレ用熱線式自動スイッチであった。
【特許文献１】特開２００１−８７１７０号公報
【発明の開示】
【発明が解決しようとする課題】
【０００５】
このような従来のトイレ用熱線式スイッチでは、前記トイレ用熱線式スイッチはトイレ室内の入り口付近で、且つ床からの高さが人間の身長の肩ぐらいに設置されているため、入り口付近でしか人感が検知しないため、長時間便器に腰掛けていると前記人感の反応がなくなり照明器が消えてしまうという課題があった。また、前記トイレ用熱線式スイッチは、照明、ファンと負荷が別々に存在するため別に配線工事をしなければならないためメンテナンスが非常にやりにくいという課題があった。
【０００６】
本発明は、このような従来の課題を解決するもので、入り口付近から便器の位置まで全て人を正確に検知することができ、照明とファンを一体にすることでメンテナンスを簡単にすることができるとともに、工事費が要らなくなる低価格な換気装置を提供することを目的とする。
【課題を解決するための手段】
【０００７】
上記課題を解決するために本発明の換気装置は、便器を備えたトイレ室内の汚れた空気を排気するファンとトイレ室内の照明を行う照明手段とトイレ室内の人を検知し信号を出力する人感検知部を備え、前記人感検知部は前記便器に座っている人を検知できるようにしたことを特徴とする。
【０００８】
また、本発明の換気装置は、便器を備えたトイレ室内の汚れた空気を排気するファンとトイレ室内の照明を行う照明手段とトイレ室内の人を検知し信号を出力する人感検知部を備え、前記人感検知部は前記便座位置を検知できるようにしたことを特徴とする。
【０００９】
また、本発明の換気装置は、前面部を備え、人感検知部を前記前面部に備えることを特徴とする。
【００１０】
また、本発明の換気装置は、人感検知部を下方に向けて傾斜させて備えることを特徴とする。
【００１１】
また、本発明の換気装置は、人感検知部にスイングできるスイング機構を設けたことを特徴とする。
【００１２】
また、本発明の換気装置は、人感検知部が非検知状態になってから一定時間経過後に非検知状態になったことを知らせる機能を設けたことを特徴とする。
【００１３】
また、本発明の換気装置は、トイレ室内の照度を検知し信号を出力する照度検知手段を設け、前記照度検知手段の出力信号を判定する判定部を備え、前記判定部の結果に応じて前記照明手段の点灯・消灯を制御することを特徴とする。
【００１４】
また、本発明の換気装置は、照度検知手段を人感検知部に備えたことを特徴とする。
【００１５】
また、本発明の換気装置は、照明手段の下に白色ＬＥＤを備え、照度検知の値により照明手段の下に白色ＬＥＤを備え、照度検知の値により白色ＬＥＤを点灯させることを特徴とする。
【００１６】
また、本発明の換気装置は、トイレ室内に設置された暖房便座の便座のフタを開閉するパターンと人の入退室のパターンを人感検知部が検知し、人と暖房便座の違いを判定する判定部を設け、その判定部の結果に応じて換気装置に備えているファンと照明の動作を制御する制御手段を換気装置内に備え、暖房便座の便座の開閉と人の入室を見分けることを特徴とする。
【００１７】
また、本発明の換気装置は、暖房便座の便座のフタを開閉するのと人の入室を見分けるようにしたことを特徴とする。
【００１８】
また、本発明の換気装置は、トイレ室内に設置された暖房便座の便座のフタを開閉するパターンと人の入退室のパターンを人感検知部が検知し、人と暖房便座の違いを判定する判定部を設け、その判定部の結果に応じて換気装置に備えているファンと照明の動作を制御する制御手段を備えたことを特徴とする。
【００１９】
また、本発明の換気装置は、赤外線信号を受信する受信部を備え、便座には、便座の開閉状態を送信（発信）する便座開閉送信部を設け、人が便座の使用後トイレ内から退出し、便座が閉じると便座が閉じたことを換気装置に送信することを特徴とする。
【００２０】
また、本発明の換気装置は、換気装置と暖房便座に赤外線信号を受信する受信部を備え、前記換気装置には人感検知部を備え、前記人感検知部には人を検知したことを送信する送信部を備え、前記人感検知部を着脱自在に外せることを特徴とする。
【００２１】
また、本発明の換気装置は、季節を切り換える季節切り換え手段を（換気装置に）備え、前記季節を切り換える切り替え手段を切り換えることによって、ファンの運転を制御することを特徴とする。
【００２２】
また、本発明の換気装置は、季節切り換え手段の代わりに、温度を判定する温度判定手段を設けたことを特徴とする。
【００２３】
また、本発明の換気装置は、カメラを備え、人を検知し信号を出力する人感検知部が人を検知したと同時にカメラが撮影し撮影した情報を制御部が画像所処理し画像処理結果に基づいて（前記）換気装置を制御することを特徴とする。
【００２４】
また、人のトイレの在室時間に応じて、換気装置に備えたファンの運転を制御することを特徴とする換気装置。
【発明の効果】
【００２５】
以上のように本願発明の換気装置によれば、人感検知部が便器に座っている人を検知するように設置し、トイレの入り口付近から便器の位置まで全て人を正確に検知することができるため、トイレに長時間滞在した場合においても照明が消えることがなくトイレを使用することができるとともに、照明、ファンの負荷を一体にするため負荷の配線工事が不要になりファン、照明等が故障した場合においても配線を気にせずにメンテナンス等ができるため、低価格で簡単施工な商品を提供することができる。
【発明を実施するための最良の形態】
【００２６】
請求項１に記載の換気装置の発明は、便器を備えたトイレ室内の汚れた空気を排気するファンとトイレ室内の照明を行う照明手段とトイレ室内の人を検知し信号を出力する人感検知部を備え、前記人感検知部は前記便座位置を検知できるようにしたことを特徴とするものであり、このような理由でトイレ内にいる人を確実に検知することができる。
【００２７】
請求項２に記載の発明は、便器を備えたトイレ室内の汚れた空気を排気するファンとトイレ室内の照明を行う照明手段とトイレ室内の人を検知し信号を出力する人感検知部を備え、前記人感検知部は前記便座位置を検知できるようにしたことを特徴とするものであり、このような理由でトイレ内にいる人を確実に検知することができる。
【００２８】
請求項３に記載の換気装置の発明は、前面部を備え、人感検知部を前記前面部に備えることを特徴とするものであり、このような理由でトイレ内にいる人を確実に検知することができる。
【００２９】
請求項４に記載の換気装置の発明は、人感検知部を下方に向けて傾斜させて備えることを特徴とするものであり、このような理由でトイレ内にいる人を確実に検知することができる。
【００３０】
請求項５に記載の換気装置の発明は、人感検知部にスイングできるスイング機構を設けたことを特徴とするものであり、このような理由でトイレ内にいる人を確実に検知することができる。
【００３１】
請求項６に記載の換気装置の発明は、人感検知部が非検知状態になってから一定時間経過後に非検知状態になったことを知らせる機能を設けたことを特徴とするものであり、このような理由で使用者がトイレ内にいるにも関わらず人感検知部が非検知状態になったとしても使用者にお知らせする機能があるため照明が途中で消えることを防止できる換気装置を提供することができる。
【００３２】
請求項７に記載の換気装置の発明は、トイレ室内の照度を検知し信号を出力する照度検知手段を設け、前記照度検知手段の出力信号を判定する判定部を備え、前記判定部の結果に応じて前記照明手段の点灯・消灯を制御することを特徴とするものであり、このような理由でトイレ内の照度を検知し照明を点灯・消灯を制御するため昼間等の照明の消し忘れを防止することができる換気装置を提供することができる。
【００３３】
請求項８に記載の換気装置の発明は、照度検知手段を人感検知部に備えたことを特徴とするものであり、このような理由で照度検知手段を人感検知部に備えたため人が存在する場所の照度を検知することができる換気装置を提供することができる。
【００３４】
請求項９に記載の換気装置の発明は、照明手段の下に白色ＬＥＤを備え、照度検知の値により白色ＬＥＤを点灯させることを特徴とするものであり、このような理由で白色ＬＥＤと照明手段を切り換えるため突然照明手段が消灯状態になったとしても白色ＬＥＤが点灯することができるため、使用者が安心して使用できる換気装置を提供することができる。
【００３５】
請求項１０に記載の換気装置の発明は、トイレ室内に設置された暖房便座の便座のフタを開閉するパターンと人の入退室のパターンを人感検知部が検知し、人と暖房便座の違いを判定する判定部を設け、その判定部の結果に応じて換気装置に備えているファンと照明の動作を制御する制御手段を換気装置内に備え、暖房便座の便座の開閉と人の入室を見分けることを特徴とするものであり、このような理由で暖房便座と人を見極めることができるため暖房便座の動作によって人感検知部が誤動作することを防止することができる換気装置を提供することができる。
【００３６】
請求項１１に記載の換気装置の発明は、暖房便座の便座のフタを開閉するのと人の入室を見分けるようにしたことを特徴とするものであり、このような理由で暖房便座と人を見極めることができるため暖房便座の動作によって人感検知部が誤動作することを防止することができる換気装置を提供することができる。
【００３７】
請求項１２に記載の換気装置の発明は、トイレ室内に設置された暖房便座の便座のフタを開閉するパターンと人の入退室のパターンを人感検知部が検知し、人と暖房便座の違いを判定する判定部を設け、その判定部の結果に応じて換気装置に備えているファンと照明の動作を制御する制御手段を備えたことを特徴とするものであり、このような理由で暖房便座と人を見極めることができるため暖房便座の動作によって人感検知部が誤動作することを防止することができる換気装置を提供することができる。
【００３８】
請求項１３に記載の換気装置の発明は、赤外線信号を受信する受信部を備え、便座には、便座の開閉状態を送信（発信）する便座開閉送信部を設け、人が便座の使用後トイレ内から退出し、便座が閉じると便座が閉じたことを換気装置に送信することを特徴とするものであり、このような理由で暖房便座と人を見極めることができるため暖房便座の動作によって人感検知部が誤動作することを防止することができる換気装置を提供することができる。
【００３９】
請求項１４に記載の換気装置の発明は、換気装置と暖房便座に赤外線信号を受信する受信部を備え、前記換気装置には人感検知部を備え、前記人感検知部には人を検知したことを送信する送信部を備え、前記人感検知部を着脱自在に外せることを特徴とするものであり、このような理由で使用者の検知したい場所に人感検知部を設置することができるため人の検知を確実にすることができる換気装置を提供することができる。
【００４０】
請求項１５に記載の換気装置の発明は、季節を切り換える季節切り換え手段を換気装置に備え、前記季節を切り換える切り替え手段を切り換えることによって、ファンの運転を制御することを特徴とするものであり、このような理由で気温が低いとき等使用者に冷風感を与えることがない換気装置を提供することができる。
【００４１】
請求項１６に記載の換気装置において、請求項１５に記載の換気装置において、季節切り換え手段の代わりに温度を判定する温度判定手段を設けたことを特徴とするものであり、気温が低いとき等使用者に冷風感を与えることがない換気装置を提供することができる。
【００４２】
請求項１７に記載の換気装置において、カメラを備え、人を検知し信号を出力する人感検知部が人を検知したと同時にカメラが撮影し撮影した情報を制御部が画像所処理し画像処理結果に基づいて、前記換気装置を制御することを特徴とするものであり、このような理由で暖房便座と人を見極めることができるため暖房便座の動作によって人感検知部が誤動作することを防止することができる換気装置を提供することができる。
【００４３】
請求項１８に記載の換気装置において、人のトイレの在室時間に応じて、換気装置に備えたファンの運転を制御することを特徴とするものであり、このような理由で照明、ファンを動作させるため、汚い空気を確実に排気することができ且つ照明、ファンを運転・停止できるため電力を無駄に使用することを防止できる換気装置を提供することができる。
【００４４】
以下、本願発明の実施の形態について図１〜図１２を参照しながら説明する。
【００４５】
（実施の形態１）
本発明の換気装置の一例として、トイレ内の室内の壁に設けられた換気装置を例にとり説明する。
【００４６】
図１に示すように、一般の住宅のトイレ１は奥行きが１８００ｍｍ高さ２５００ｍｍで構成されており、トイレ１のドア２の反対側には、壁面に取り付けられる箱状の換気装置３が床面から２０００ｍｍの位置に設置されており、前記換気装置３の８９５ｍｍ下にはタンク付き便器４が設置されている。一般に便器４は、長さが６６８ｍｍ〜７９０ｍｍになっている。
【００４７】
まず、換気装置３の構成について図２の斜視図を用いて説明する。本体フレーム５に、風雨を防止するためのシャッタ機構６とトイレ１内を照明する電球７を本体フレーム５の左側に有し、本体フレーム５の右側には電動機８と電動機取り付け板９と羽根１０で構成された排気ファン（図示せず）を有し、排気用ファンの流路を形成するオリフィス１１には、汚れた空気の粉塵を吸収するためのフィルター１２と人感ユニット１３と人感ユニット１３の情報をもとに電球７と排気用ファンを駆動する電源ユニット１４を有し、電源ユニット１４と人感ユニット１３の接続する線を保護するためにオリフィス１１を被せ、オリフィス１１には、電球７のまぶしさから目を保護するためにシェード１５をカヌクリップ１６で取り付ける構成としている。
【００４８】
また、図３に示すように人感ユニット１３は、人の存在を検知する人感センサ１７とトイレ１内の明るさを検知する光センサ２０、例えばフォトダイオードで構成されており、人感センサ１７の検知角度と距離は熱線と熱線に集光する受光レンズ１９との組み合で決定されており一般的には熱線を中心に３０°の検知領域があり９００ｍｍの子供が長さ６６８ｍｍの便器４に座った場合、人感センサ１７が常に子供の動作を検知するためには、図４に示すようにオリフィス１１に人感ユニット１３を下方向側、例えば３９°傾けて取り付ける構成としている。人感センサ１７としては、人が検知できればよく、例えば、人感センサ１７の構成は、人体の放射される熱線を検知する熱線と、熱線の信号を増幅する増幅器１８、例えばオペアンプと検知領域からの熱線を熱線に集光する受光レンズ１９との組み合せなどがある。
【００４９】
また、図５に示すように電源ユニット１４は、使用者が夏・冬を切り換える季節切り替え手段２１と照明の点灯する時間を任意で設定できる点灯保持手段２２とトイレ１内の照度を任意で設定できる照度設定手段２３を有し、季節切り換え手段２１の状態と点灯保持手段２２の状態と照度設定手段２３の状態と人の存在を検知する人感センサ１７の検知信号とトイレ１内の明るさを検知する光センサ２０の検知信号を制御する制御手段２４（例えばマイクロコンピュータを用いて実現することが可能であり、このマイクロコンピュータには、一連の動作が可能なプログラムが書き込まれている。図示せず）を有し、制御手段２４の結果に基づいて、負荷を駆動する負荷駆動手段２５（例えばトライアック図示せず）と音声で使用者に現在どのような状態になっているかを知らせるお知らせ手段２６（例えば音声用スピーカ）を備える構成としている。夏・冬を切り換える季節切り替え手段２１の一例としては、スライドＳＷなどがあり、照明の点灯する時間を任意で設定できる点灯保持手段２２としては、例えばＶＲなどがあり、照度を任意で設定できる照度設定手段２３としては、例えばＶＲなどがあり、お知らせ手段２６としては、例えば音声用スピーカなどがある。制御手段２４としては、例えば下記制御内容がプログラムされたマイクロコンピュータなどがある。
【００５０】
上記構成において、換気装置３の動作を図６に示すフローチャートを用いて説明する。
【００５１】
換気装置３に電源が投入されると（ステップ１）、人感ユニット１３と電源ユニット１４に電源が印加され人感ユニット１３内部にある人感センサと光センサに電源が印加されると同時に電源ユニット１４内部にある制御手段２４に電源が印加され制御手段２４のプログラムが処理（ステップ２〜７）を開始し、季節切り換え手段２１と点灯保持手段２２と照度設定手段２３の設定状態を確認する。
【００５２】
トイレ１内の人の在室を確認する人感センサ１７は、人の有無を常に検知（ステップ２）し検知信号を制御手段２４に入力する。そして、人感センサ１７が人の在室を検知すると光センサ２０がトイレ１の照度を検知（ステップ３）し検知信号が制御手段２４に入力され、照度設定手段２３で設定された値と光センサ２０の検知信号を比較（ステップ４）し、照度設定手段２３で設定された値より暗いと判断された場合は、負荷駆動手段２５に出力信号を送信（ステップ５）し電球７が点灯する。また、明るいと判断された場合は、電球７は消灯状態となる。そして、季節切り換え手段２１で季節を判定（ステップ６）し、夏と判断された場合は、排気ファンも運転を開始し、冬と判断された場合は停止状態とする。
【００５３】
そして、トイレ１内から人が退出するか動かない状態が継続し人感センサ１７が非検知状態になると点灯保持手段２２で設定されている時間のみ点灯し照明が消灯になることを音声でお知らせ（ステップ７）し、そして排気ファンは、夏と判断された場合は残置時間運転に入り、冬と判定された場合は、在室時間＋残置時間運転し排気ファンは停止されることとなる。そして電球７も消灯する。
【００５４】
以上のように構成した換気装置３は、人感ユニット１３を下方に向けて傾斜させて便器の方向に向けて設置するため子供、大人に関係なく人を正確に検知することができろため、トイレ１の在室にも関わらず電球が消えることが防止することができ、また光センサで照度を確認するため無駄な電気の点灯を防止でき、また季節を設定できるため冬場に使用者が排気ファンによって冷風感を感じることを防止することができる。
【００５５】
季節切り換え手段２１の代わりに、温度検知による温度切り換えでも作用効果は同じである。
【００５６】
熱線と熱線に集光する受光レンズ１９との組合せを変更し、検知角度を変更してルーバの傾きを変更して対応したとしても作用効果は同じである。
【００５７】
（実施の形態２）
実施の形態２について、図７、図８を参照しながら説明する。なお、実施の形態１と同一部分は同一番号を付し、詳細な説明は省略する。
【００５８】
図７に示すように、一般の住宅のトイレ１は奥行きが１８００ｍｍ高さ２５００ｍｍで構成されており、トイレ１のドア２の右側、左側には、壁面に取り付けられる箱状の換気装置３が床面から２０００ｍｍの位置に設置されており、前記換気装置３の８９５ｍｍ下にはタンク付きの便器４が設置されている。一般に便器４は、長さが６６８ｍｍ〜７９０ｍｍになっている。
【００５９】
図８に示すように、人感ユニット１３Ａは、受光レンズ１９とケース２７で構成されており、ケース２７の中心に樹脂で軸を形成し、人感ユニット１３Ａのケース２７の軸がルーバに取り付けられる構造（図示せず）とし、ルーバに取り付けた人感ユニット１３Ａの受光レンズの端を指で押すことでケース２７の軸を中心に最大６０°左右に傾く構成としている。
【００６０】
以上のように構成した換気装置３は、人感ユニット１３Ａをトイレ１のドア方向に向けることができるため、トイレ１に入室する人を確実に検知することができるため入室時電球が点灯しないという誤動作を確実に防止することができる。
【００６１】
（実施の形態３）
実施の形態３について、図９および図１０を参照しながら説明する。なお、実施の形態１または２と同一部分は同一番号を付し、詳細な説明は省略する。
【００６２】
図９に示すように、電球７の下に白色ＬＥＤ２８を設ける構成とする。
【００６３】
上記構成において、本実施の形態に係る換気装置３の動作を図１０に示すフローチャートを用いて説明する。
【００６４】
ステップ１〜ステップ７に至るフローは上述の実施の形態１において図５をもとに説明したものと同様である。ステップ７に続くフローについて以下に説明する。
【００６５】
照度設定手段２３で設定された値より暗いと判断された場合は、負荷駆動手段２５に出力信号を送信（ステップ５）し電球７が点灯する。そして電球７が点灯しているにも関わらず照度設定手段２３で設定された値より暗いと判断された場合は、負荷駆動手段２５Ａに出力信号を送信（ステップ５Ａ）し白色ＬＥＤ２８が点灯する。
【００６６】
以上のように構成した換気装置３は、突然電球７が切れた場合においても白色ＬＥＤ２８が点灯するため夜等においても必ず照明を点灯することができるため、使用者がトイレ１を安全に利用することができる。
【００６７】
（実施の形態４）
実施の形態４について、図１と図１１を参照しながら説明する。なお、実施の形態１乃至３のいずれかと同一部分は同一番号を付し、詳細な説明は省略する。
【００６８】
図１に示すように、便器４の代わりに暖房機能付き便座２９となっている。この暖房機能付き便座２９は、人感センサ１７を備え、人がトイレ１内に入室すると暖房機能付き便座２９のフタ（図示せず）が開閉し、人が退室すると約４秒後に閉じる仕組みとなっている。
【００６９】
暖房機能付き便座２９の閉じるパターンを制御手段２４に設ける構成とする。
【００７０】
上記構成において、本実施の形態に係る換気装置３の動作を図１１に示すフローチャートを用いて説明する。
【００７１】
ステップ１〜ステップ７に至るフローは上述の実施の形態１において図５をもとに説明したものと同様である。ステップ７に続くフローについて以下に説明する。
【００７２】
トイレ１内から人が退出するか動かない状態が継続し人感センサ１７が非検知状態になると４秒後に再度人感センサ１７が非検知状態になっているか判断し、非検知状態になっていると判断すると、制御手段２４が暖房機能付き便座２９のフタを閉じるパターンを読み込み（ステップ８）暖房機能付き便座２９のフタが閉じていると判断した場合においては、電球７は消灯し、排気ファンは、季節切り替え手段２１の状態により運転する。また、人が在室中と判断した場合は、電球７は点灯状態を保持し、排気ファンは季節切り替え手段２１の状態を保持することになる。
【００７３】
以上のように構成した換気装置３は、暖房機能付き便座２９のフタが閉じるパターンと人を区別することができるため、人が退室したにも関わらず暖房機能付き便座２９の動作によって人感センサ１７が誤動作することを防止することができる。
【００７４】
また、暖房機能付き便座２９のフタが閉じるパターンと人を区別する方法を制御手段２４を用いて説明したが、暖房機能付き便座２９に送信部、換気装置３に受信部を取り付け、暖房機能付き便座２９のフタが閉じたことを換気装置３に送信することで実現したとしても作用効果は同じである。
【００７５】
（実施の形態５）
実施の形態５について、図１２、図１３を参照しながら説明する。なお、実施の形態１乃至４のいずれかと同一部分は同一番号を付し、詳細な説明は省略する。
【００７６】
図１２、図１３に示すように、換気装置３の前面部には、人を検知する人感ユニット１３Ｂと赤外線信号を受信する換気受信部３０を有し、暖房機能付き便座２９の横に赤外線信号を受信する暖房受信部３１を備える構成としている。
【００７７】
まず、人感ユニット１３Ｂの構成を説明する。受光レンズ１９とケース２７で構成されており、ケース２７の中心に接続機構２７Ａを有し、人感ユニット１３Ｂ内部には、人を検知したことを送信する送信部３２と送信部３２、人感センサを駆動する電池３３を備える構成となっている。接続機構２７Ａとしては、例えばコネクタなどがあり、送信部３２としては、例えば赤外ＬＥＤなどがある。
【００７８】
上記構成において、換気装置３と人感ユニット１３Ｂをコネクタで接続し、人感ユニット１３Ｂを電池３３で駆動するようにしたため、人感ユニット１３Ｂを着脱自在に外せることができる。
【００７９】
以上のように構成した換気装置３の人感ユニット１３Ｂは着脱自在に外すことができ、また送信部３２を備え、電池３３で駆動することが可能となったため、使用者が人の検知エリアを使用者自身で決定することができるため、確実の換気装置３と暖房機能付き便座２９を動作させることができる。
【００８０】
（実施の形態６）
なお、実施の形態１乃至５のいずれかと同一部分は同一番号を付し、詳細な説明は省略する。実施の形態６について、図１４を参照しながら説明する。なお、実施の形態１と同様の構成要素についてはその説明を省略する。
【００８１】
人の入室・退室を撮影する機能、例えばカメラ（図示せず）を人感ユニット１３に設ける構成とする。
【００８２】
上記構成において、本実施の形態に係る換気装置３の動作を図１４に示すフローチャートを用いて説明する。ステップ１〜ステップ７に至るフローは上述の実施の形態１において図６をもとに説明したものと同様である。ステップ７に続くフローについて以下に説明する。人感センサ１７が人の入室を検知した場合、カメラが撮影（ステップ２Ａ）を開始し、撮影した情報を常に制御手段２４に送信する。そして、制御手段２４が処理を開始し、人と判断しない場合は、人感センサ１７が人の入室を検知するまで電球７消灯、排気ファン停止することとなる。
【００８３】
以上のように構成した換気装置３の人感ユニット１３は、カメラで人の有無を判断できるため、窓からの風による誤動作、暖房機能付き便座による誤動作を防止することができる。
【産業上の利用可能性】
【００８４】
本発明にかかる建物に取り付けられる換気装置は、トイレの照明・汚れた空気の排出するものである製品において広く有用である。
【図面の簡単な説明】
【００８５】
【図１】本発明の実施形態１と同実施形態４の換気装置の取り付け図
【図２】同換気装置の斜視図
【図３】同人感ユニット構造図
【図４】同人感ユニットとオリフィス取り付け図
【図５】電源ユニット構造図
【図６】同換気装置の運転動作を示すフローチャート
【図７】本発明の実施形態２のトイレの構造図
【図８】同人感ユニット構造図
【図９】本発明の実施形態３の照明部分の構造図
【図１０】同換気装置の運転動作を示すフローチャート
【図１１】本発明の実施形態４の換気装置の運転動作を示すフローチャート
【図１２】本発明の実施形態５の換気装置の受光部分の構造図
【図１３】同換気装置の受光部分の詳細図
【図１４】本発明の実施形態６の換気装置の運転動作を示すフローチャート
【図１５】従来の換気装置を示す構成図
【符号の説明】
【００８６】
１      トイレ
２      ドア
３      換気装置
４      便器
５      本体フレーム
６      シャッタ機構
７      電球
８      電動機
９      電動機取り付け板
１０    羽根
１１    オリフィス
１２    フィルター
１３    人感ユニット
１３Ａ  人感ユニット
１３Ｂ  人感ユニット
１４    電源ユニット
１５    シェード
１６    カヌクリップ
１７    人感センサ
１８    増幅器
１９    受光レンズ
２０    光センサ
２１    季節切り替え手段
２２    点灯保持手段
２３    照度設定手段
２６    お知らせ手段
２７    ケース
２７Ａ  接続機構
２８    白色ＬＥＤ
３０    換気受信部
３１    暖房受信部
３２    送信部
３３    電池
【図１】
2007240124.tif 000003
【図２】
2007240124.tif 000004
【図３】
2007240124.tif 000005
【図４】
2007240124.tif 000006
【図５】
2007240124.tif 000007
【図６】
2007240124.tif 000008
【図７】
2007240124.tif 000009
【図８】
2007240124.tif 000010
【図９】
2007240124.tif 000011
【図１０】
2007240124.tif 000012
【図１１】
2007240124.tif 000013
【図１２】
2007240124.tif 000014
【図１３】
2007240124.tif 000015
【図１４】
2007240124.tif 000016
【図１５】
2007240124.tif 000017